(57)【要約】【課題】さらなる施工性、経済性の向上を図ることを可能にする橋梁の床版解体用装置及び橋梁の床版解体方法を提供する。【解決手段】前後方向Ｔ１に装置本体１を進退させる進退駆動手段２と、装置本体１に取り付けられ、装置本体１の移動とともに、鋼製桁４の上側フランジの直上の床版３、及び上側フランジに植設されたスタッドを左右方向の幅方向に、且つ橋軸方向に沿って切削する第一切削手段８を備える。また、装置本体１に取り付けられ、装置本体１の移動とともに床版３の鋼製桁４を挟んで左右両側を橋軸方向に沿って切削する第二切削手段５を備える。【選択図】図１
2019031868.tif 000002
【特許請求の範囲】
【請求項１】
橋軸方向に延設された鋼製桁の上に載せてコンクリート製の床版が支持されるとともに、前記鋼製桁の上側フランジに植設された複数のスタッドを前記床版に埋設して前記鋼製桁と前記床版を一体に結合してなる橋梁を解体するための装置であって、
前後方向に装置本体を進退させる進退駆動手段と、
前記装置本体に取り付けられ、前記装置本体の移動とともに、前記鋼製桁の上側フランジの直上の前記床版、及び前記上側フランジに植設されたスタッドを左右方向の幅方向に、且つ橋軸方向に沿って切削する第一切削手段とを備えていることを特徴とする橋梁の床版解体用装置。
【請求項２】
橋軸方向に延設された鋼製桁の上に載せてコンクリート製の床版が支持されるとともに、前記鋼製桁の上側フランジに植設された複数のスタッドを前記床版に埋設して前記鋼製桁と前記床版を一体に結合してなる橋梁を解体するための装置であって、
前後方向に装置本体を進退させる進退駆動手段と、
前記装置本体に取り付けられ、前記装置本体の移動とともに、前記鋼製桁の上側フランジの直上の前記床版、及び前記上側フランジに植設されたスタッドを左右方向の幅方向に、且つ橋軸方向に沿って切削する第一切削手段と、
前記装置本体に取り付けられ、前記装置本体の移動とともに前記床版の前記鋼製桁を挟んで左右両側を橋軸方向に沿って切削する第二切削手段とを備えていることを特徴とする橋梁の床版解体用装置。
【請求項３】
請求項１または請求項２に記載の橋梁の床版解体用装置において、
前記第一切削手段及び／又は前記第二切削手段が、回転するブレードを前記床版に切り込ませて切削するブレードカッター装置、または回動する無端状のワイヤーソーを前記床版に切り込ませて切削するワイヤーソー装置であることを特徴とする橋梁の床版解体用装置。
【請求項４】
橋軸方向に延設された鋼製桁の上に載せてコンクリート製の床版が支持されるとともに、前記鋼製桁の上側フランジに植設された複数のスタッドを前記床版に埋設して前記鋼製桁と前記床版を一体に結合してなる橋梁を解体する方法であって、
前記床版の前記鋼製桁を挟んで左右両側を橋軸方向に沿って切削した後に、請求項１記載の橋梁の床版解体用装置を用い、前記進退駆動手段によって前記装置本体を移動させるとともに、前記第一切削手段で前記鋼製桁の上側フランジの直上で、前記床版の前記鋼製桁を挟んで左右両側を橋軸方向に沿って切削して形成された左右一対の切削溝の間の前記床版、及び前記上側フランジに植設されたスタッドを切断し、前記床版と前記鋼製桁を分離するようにしたことを特徴とする橋梁の床版解体方法。
【請求項５】
橋軸方向に延設された鋼製桁の上に載せてコンクリート製の床版が支持されるとともに、前記鋼製桁の上側フランジに植設された複数のスタッドを前記床版に埋設して前記鋼製桁と前記床版を一体に結合してなる橋梁を解体する方法であって、
請求項２または請求項３に記載の橋梁の床版解体用装置を用い、
前記進退駆動手段によって前記装置本体を移動させるとともに、前記第二切削手段で前記床版の前記鋼製桁を挟んで左右両側を橋軸方向に沿って切削し、且つ前記第一切削手段で前記鋼製桁の上側フランジの直上で前記第二切削手段による左右一対の切削溝の間の前記床版、及び前記上側フランジに植設されたスタッドを切断し、前記床版と前記鋼製桁を分離するようにしたことを特徴とする橋梁の床版解体方法。
【発明の詳細な説明】
【技術分野】
【０００１】
本発明は、橋梁のコンクリート製の床版を解体するための橋梁の床版解体用装置及び橋梁の床版解体方法に関する。
【背景技術】
【０００２】
例えば、橋梁には、鋼製桁でＲＣ床版（鉄筋コンクリート床版）を支持するとともに、鋼製桁のフランジに複数植設したスタッドをＲＣ床版に埋設させ、このストッドを介して鋼製桁とＲＣ床版を一体に結合したものがある。
【０００３】
一方、老朽化による撤去、更新などを目的に橋梁の床版を解体する際には、例えば、ブレードカッター装置やワイヤーソー装置を用い、鋼製桁の両側を橋軸方向に沿って切断して鋼製桁の両側のＲＣ床版を撤去した後、鋼製桁にスタッドを介して結合したＲＣ床版の残部のコンクリートを破砕機を用いて作業者が斫り取り、サンダーなどでスタッドを切断撤去するようにしている。
【０００４】
しかしながら、このような床版の解体方法においては、ブレードカッター装置による切断作業、コンクリートの斫り作業、スタッドの切断作業の複数の個別の作業工程が必要になる。
【０００５】
特許文献１には、ワイヤーソー装置を用い、鋼製桁の両側を橋軸方向に沿って切断し、鋼製桁の両側の床版を撤去した後、鋼製桁にスタッドを介して結合した床版の残部を、スタッドとともにワイヤーソー装置で切断して撤去する方法が開示されている。この解体方法においては、コンクリートの斫り作業がなく、また、ワイヤーソー装置でほぼすべての切断作業が行え、騒音や粉塵の発生を大幅に抑えることができる。
【先行技術文献】
【特許文献】
【０００６】
【特許文献１】特開２００９−１１４６８８号公報
【発明の概要】
【発明が解決しようとする課題】
【０００７】
しかしながら、特許文献１に開示された解体方法においても、鋼製桁の両側を先行して切断し、鋼製桁の両側の床版を撤去した後に鋼製桁にスタッドを介して結合した床版の残部をワイヤーソー装置で切断撤去するため、やはり作業工程の数が多い。また、ワイヤーソー／装置の取り回しが煩雑になり、やはり多大な労力と時間を要する。このため、さらなる労力と時間の低減を可能にする手法が強く望まれていた。
【０００８】
本発明は、上記事情に鑑み、さらなる施工性、経済性の向上を図ることを可能にする橋梁の床版解体用装置及び橋梁の床版解体方法を提供することを目的とする。
【課題を解決するための手段】
【０００９】
上記の目的を達するために、この発明は以下の手段を提供している。
【００１０】
本発明の橋梁の床版解体用装置は、橋軸方向に延設された鋼製桁の上に載せてコンクリート製の床版が支持されるとともに、前記鋼製桁の上側フランジに植設された複数のスタッドを前記床版に埋設して前記鋼製桁と前記床版を一体に結合してなる橋梁を解体するための装置であって、前後方向に装置本体を進退させる進退駆動手段と、前記装置本体に取り付けられ、前記装置本体の移動とともに、前記鋼製桁の上側フランジの直上の前記床版、及び前記上側フランジに植設されたスタッドを左右方向の幅方向に、且つ橋軸方向に沿って切削する第一切削手段とを備えていることを特徴とする。
【００１１】
本発明の橋梁の床版解体用装置は、橋軸方向に延設された鋼製桁の上に載せてコンクリート製の床版が支持されるとともに、前記鋼製桁の上側フランジに植設された複数のスタッドを前記床版に埋設して前記鋼製桁と前記床版を一体に結合してなる橋梁を解体するための装置であって、前後方向に装置本体を進退させる進退駆動手段と、前記装置本体に取り付けられ、前記装置本体の移動とともに、前記鋼製桁の上側フランジの直上の前記床版、及び前記上側フランジに植設されたスタッドを左右方向の幅方向に、且つ橋軸方向に沿って切削する第一切削手段と、前記装置本体に取り付けられ、前記装置本体の移動とともに前記床版の前記鋼製桁を挟んで左右両側を橋軸方向に沿って切削する第二切削手段とを備えていることを特徴とする。
【００１２】
本発明の橋梁の床版解体用装置は、前記第一切削手段及び／又は前記第二切削手段が、回転するブレードを前記床版に切り込ませて切削するブレードカッター装置、または回動する無端状のワイヤーソーを前記床版に切り込ませて切削するワイヤーソー装置であることが望ましい。
【００１３】
本発明の橋梁の床版解体方法は、橋軸方向に延設された鋼製桁の上に載せてコンクリート製の床版が支持されるとともに、前記鋼製桁の上側フランジに植設された複数のスタッドを前記床版に埋設して前記鋼製桁と前記床版を一体に結合してなる橋梁を解体する方法であって、前記床版の前記鋼製桁を挟んで左右両側を橋軸方向に沿って切削した後に、上記の橋梁の床版解体用装置を用い、前記進退駆動手段によって前記装置本体を移動させるとともに、前記第一切削手段で前記鋼製桁の上側フランジの直上で、前記床版の前記鋼製桁を挟んで左右両側を橋軸方向に沿って切削して形成された左右一対の切削溝の間の前記床版、及び前記上側フランジに植設されたスタッドを切断し、前記床版と前記鋼製桁を分離するようにしたことを特徴とする。
【００１４】
本発明の橋梁の床版解体方法は、橋軸方向に延設された鋼製桁の上に載せてコンクリート製の床版が支持されるとともに、前記鋼製桁の上側フランジに植設された複数のスタッドを前記床版に埋設して前記鋼製桁と前記床版を一体に結合してなる橋梁を解体する方法であって、上記の橋梁の床版解体用装置を用い、前記進退駆動手段によって前記装置本体を移動させるとともに、前記第二切削手段で前記床版の前記鋼製桁を挟んで左右両側を橋軸方向に沿って切削し、且つ前記第一切削手段で前記鋼製桁の上側フランジの直上で前記第二切削手段による左右一対の切削溝の間の前記床版、及び前記上側フランジに植設されたスタッドを切断し、前記床版と前記鋼製桁を分離するようにしたことを特徴とする。
【発明の効果】
【００１５】
本発明の橋梁の床版解体用装置及び橋梁の床版解体方法においては、作業者が装置本体を進退させつつ、鋼製桁の上側フランジの直上の床版に第一切削手段を切り込ませることができ、且つ、第一切削手段によってスタッドを切断できる。これにより、床版のコンクリートを鋼製桁から分離することが可能になる。
【００１６】
よって、本発明の橋梁の床版解体用装置及び橋梁の床版解体方法によれば、従来と比較し、労力、時間を低減し好適に橋梁の床版を解体することができ、さらなる施工性、経済性の向上を図ることが可能になる。
【図面の簡単な説明】
【００１７】
【図１】本発明の一実施形態に係る橋梁の床版解体用装置及び橋梁の床版解体方法を示す図である。
【図２】本発明の一実施形態に係る橋梁の床版解体用装置及び橋梁の床版解体方法を示す図であり、図１のＸ１−Ｘ１線矢視図である。
【図３】本発明の一実施形態に係る橋梁の床版解体用装置を示す図である。
【図４】本発明の一実施形態に係る橋梁の床版解体用装置及び橋梁の床版解体方法を示す図であり、図３のＸ１−Ｘ１線矢視図である。
【発明を実施するための形態】
【００１８】
以下、図１及び図２を参照し、本発明の一実施形態に係る橋梁の床版解体用装置及び橋梁の床版解体方法について説明する。
【００１９】
本実施形態の橋梁の床版解体用装置Ａは、図１、図２に示すように、作業者Ｍの操作によって前後方向Ｔ１に装置本体１を進退させる進退駆動手段２と、装置本体１に取り付けられ、装置本体１の移動とともに鋼製桁４の上側フランジの直上の床版３、及び上側フランジに植設されたスタッド７を左右方向の幅方向に、且つ橋軸方向に沿って切断（切削）する第一切削手段８と、装置本体１に取り付けられ、装置本体１の移動とともにコンクリート製の床版３の鋼製桁４を挟んで左右両側を橋軸方向（鋼製桁４の延設方向）に沿って切削（切断）する第二切削手段５とを備えて構成されている。
なお、本実施形態では、第二切削手段５による切削作業で形成される左右一対の切削溝６と連続するように、第一切削手段８が一対の切削溝６の間の床版３及びスタッド７を切断（切削）する。
【００２０】
本実施形態において、進退駆動手段２は、走行手段であり、装置本体１に取り付けられた車輪と、車輪を駆動するモータなどの駆動手段とを備えている。
【００２１】
第一切削手段８と第二切削手段５は、ワイヤーソー装置であり、無端状のワイヤーソー８ａを回動させながら床版３に切り込ませて切断するように構成されている。
【００２２】
なお第一切削手段８、及び／又は第二切削手段５は、回転するブレードを床版３に切り込ませて切削するブレード切断装置や、その他の切断／切削手段であってもよい。また、第二切削手段５としてブレード切断装置を用いる場合には、床版３の下面３ａから上面３ｂ側に向けてブレードを切り込ませることが望ましい。
【００２３】
上記構成からなる本実施形態の橋梁の床版解体用装置Ａを用いて橋梁の床版３を解体する際には（本実施形態の橋梁の床版解体方法においては）、作業者Ｍが進退駆動手段２を駆動させて装置本体１を進退させつつ、第二切削手段５と第一切削手段８を駆動させ、第二切削手段５を床版３の鋼製桁４の左右両側に切り込ませ、同時に第一切削手段８を鋼製桁４の上側フランジの直上の床版３に切り込ませる。
【００２４】
そして、このように第二切削手段５と第一切削手段８で床版３を切削すると、第二切削手段５によって床版３に形成された左右一対の切削溝６と、第一切削手段８によって水平の横方向に延びて形成された切削溝９とが繋がって連通し、床版３のコンクリートが装置本体１の移動とともに鋼製桁４から分離されてゆく。
【００２５】
さらに、第一切削手段８によって床版３のコンクリートを切削すると、これと同時に、鋼製桁４の上側フランジに植設されたスタッド７にも第一切削手段８が切り込まれ、順次スタッド７が切断されてゆく。
【００２６】
これにより、装置本体１を進退させるだけで、床版３を鋼製桁４から切断分離することができる。
【００２７】
したがって、本実施形態の橋梁の床版解体用装置Ａ及び橋梁の床版解体方法においては、作業者Ｍが装置本体１を進退させつつ、床版３の鋼製桁４の左右両側に第二切削手段５を、鋼製桁４の上側フランジの直上の床版３に第一切削手段８を切り込ませることができる。そして、装置本体１を移動させることにより、第二切削手段５によって上下方向に形成される左右一対の切断溝６と、第一切削手段８によって水平の横方向に形成される切断溝９とを連通させることができ、且つ、これと同時に第一切削手段８によってスタッド７を切断できる。これにより、一作業工程によって床版３のコンクリートを鋼製桁４から分離することが可能になる。
【００２８】
また、第二切削手段５によって、床版３の鋼製桁４の左右両側を、必ずしも床版３の下面３ａから上面３ｂまで切断する必要はなく、床版３の下面３ａから切削し、この第二切削手段５による左右一対の切削溝６が第一切削手段８による切削溝９と繋がって連通すれば、鋼製桁４と床版３を分離することが可能であり、従来のように、鋼製桁４の上方部分の床版３と、隣り合う鋼製桁４の間の床版３をそれぞれ個別に切断分離することも不要にできる。
【００２９】
よって、本実施形態の橋梁の床版解体用装置Ａ及び橋梁の床版解体方法によれば、従来と比較し、労力、時間を低減し好適に橋梁の床版３を解体することができ、さらなる施工性、経済性の向上を図ることが可能になる。
【００３０】
以上、本発明に係る橋梁の床版解体用装置及び橋梁の床版解体方法の一実施形態について説明したが、本発明は上記の実施形態に限定されるものではなく、その趣旨を逸脱しない範囲で適宜変更可能である。
【００３１】
例えば、必ずしも第二切削手段５を備えて床版解体用装置Ａが構成されていなくてもよい。また、第二切削手段５を備えた場合において、第一切削手段８を切り込ませるとともに第二切削手段５を床版３に切り込ませてもよく、第二切削手段５と第一切削手段８のどちらを先に床版３に切り込ませるかを厳密に決める必要はない。また、図３、図４に示すように、第二切削手段５と第一切削手段８を同時に駆動させず、装置本体１を移動させつつ一方の切削手段５（８）で切削を行い、再度装置本体１を移動させつつ他方の切削手段８（５）で切削するようにしてもよい。すなわち、二作業工程で切削を行うようにしてもよい。
【符号の説明】
【００３２】
１    装置本体
２    進退駆動手段
３    床版
３ａ  下面
３ｂ  上面
４    鋼製桁
５    第二切削手段
５ａ  ブレード
６    切削溝
７    スタッド
８    第一切削手段
８ａ  ワイヤーソー
８ｂ  ブレード
９    切削溝
Ａ    橋梁の床版解体用装置
Ｍ    作業者
【図１】
2019031868.tif 000003
【図２】
2019031868.tif 000004
【図３】
2019031868.tif 000005
【図４】
2019031868.tif 000006